(57)【要約】  【課題】  フレームレーザに関して放熱性や取り扱いの容易性が従来より劣ることなく、製造作業を従来より容易化することができる光ヘッド装置を提供する。  【解決手段】  光ヘッド装置のフレームレーザ６０は、発光チップ６１を収納する収納部６２を有し、収納部６２は、発光チップ６１から発せられるレーザ光の光軸６１ａの矢印６０ａで示す延在方向に直交する矢印６０ｂで示す方向に開口６２ａが形成されており、固定ホルダ７０は、開口６２ａに対向する位置に配置されて発光チップ６１を保護する保護壁７３と、フレームレーザ６０に対して保護壁７３とは反対側に配置されて付勢部材８０と当接する当接壁７４とを有し、付勢部材８０は、フレームレーザ６０と、当接壁７４との間に配置されてフレームレーザ６０を当接壁７４から遠ざかる方向に付勢することを特徴とする。【選択図】  図７
2009170066.tif 000002
【特許請求の範囲】
【請求項１】
発光チップが搭載されたフレームレーザと、前記フレームレーザが取り付けられる固定ホルダと、前記フレームレーザを前記固定ホルダに固定する付勢部材と、前記フレームレーザ、前記固定ホルダおよび前記フレームレーザから出射された出射光を光記録ディスクに導くための光学素子が配設された装置フレームとを有し、
前記フレームレーザは、前記発光チップを収納する収納部を有し、
前記収納部は、前記発光チップから発せられるレーザ光の光軸の延在方向に直交する方向に開口が形成されており、
前記固定ホルダは、前記開口に対向する位置に配置されて前記発光チップを保護する保護部と、前記フレームレーザに対して前記保護部とは反対側に配置されて前記付勢部材と当接する付勢部材当接部とを有し、
前記付勢部材は、前記フレームレーザと、前記付勢部材当接部との間に配置されて前記フレームレーザを前記付勢部材当接部から遠ざかる方向に付勢することを特徴とする光ヘッド装置。
【請求項２】
前記フレームレーザは、前記発光チップで発生した熱を放熱するために前記発光チップの両側に配置された一対の放熱部を有し、
前記付勢部材は、一対の前記放熱部にそれぞれ当接する一対のレーザ当接部と、一対の前記レーザ当接部の中間に配置されて前記レーザ当接部が前記放熱部に当接する方向とは反対方向に前記付勢部材当接部に当接するホルダ当接部とを有することを特徴とする請求項１に記載の光ヘッド装置。
【請求項３】
前記固定ホルダは、前記放熱部のうち前記発光チップ側とは反対側の端部を露出させる切欠部を有し、
前記フレームレーザは、前記端部が前記固定ホルダに紫外線硬化型接着剤によって固定されていることを特徴とする請求項２に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、発光チップと、発光チップを収納する収納部とを有するフレームレーザを備えたものが知られている。フレームレーザの収納部としては、発光チップの発熱に対して放熱性を向上させるために、発光チップから発せられるレーザ光の光軸の延在方向に直交する方向に開口が形成されて、開口を介して発光チップを外部に露出させたものが知られている。
【０００３】
しかしながら、発光チップが外部に露出しているフレームレーザは、光ヘッド装置内で他の部材に固定されたり光軸の調整がなされたりする場合に、作業者や他の部材が発光チップに接触して発光チップが損傷し、発光不良が発生してしまうことがある。
【０００４】
このような不具合を解消してフレームレーザの取り扱いを容易化した光ヘッド装置として、発光チップとしてのレーザダイオードチップが搭載されたフレームレーザと、フレームレーザが取り付けられる固定ホルダとしてのフレームレーザホルダとを有する光ピックアップ装置が知られている（例えば、特許文献１参照。）。この光ピックアップ装置のフレームレーザは、レーザダイオードチップを収納する収納部としての樹脂モールド部を有している。樹脂モールド部は、レーザダイオードチップから発せられるレーザ光の光軸の延在方向に直交する方向に開口が形成されている。また、フレームレーザホルダは、樹脂モールド部の開口に対向する位置に配置されてレーザダイオードチップを保護するチップ被覆部を有している。そして、フレームレーザと、フレームレーザホルダとは、例えば接着剤によって固定されている。
【特許文献１】特開２００７−４８３３９号公報
【発明の開示】
【発明が解決しようとする課題】
【０００５】
しかしながら、特許文献１に記載された光ピックアップ装置においては、フレームレーザと、フレームレーザホルダとが接着剤によって固定される場合、接着剤が硬化するまで、フレームレーザと、フレームレーザホルダとを治具で固定しておく必要があり、製造作業が煩雑であるという問題がある。
【０００６】
本発明は、従来の問題を解決するためになされたもので、フレームレーザに関して放熱性や取り扱いの容易性が従来より劣ることなく、製造作業を従来より容易化することができる光ヘッド装置を提供することを目的とする。
【課題を解決するための手段】
【０００７】
本発明の光ヘッド装置は、発光チップが搭載されたフレームレーザと、前記フレームレーザが取り付けられる固定ホルダと、前記フレームレーザを前記固定ホルダに固定する付勢部材と、前記フレームレーザ、前記固定ホルダおよび前記フレームレーザから出射された出射光を光記録ディスクに導くための光学素子が配設された装置フレームとを有し、前記フレームレーザは、前記発光チップを収納する収納部を有し、前記収納部は、前記発光チップから発せられるレーザ光の光軸の延在方向に直交する方向に開口が形成されており、前記固定ホルダは、前記開口に対向する位置に配置されて前記発光チップを保護する保護部と、前記フレームレーザに対して前記保護部とは反対側に配置されて前記付勢部材と当接する付勢部材当接部とを有し、前記付勢部材は、前記フレームレーザと、前記付勢部材当接部との間に配置されて前記フレームレーザを前記付勢部材当接部から遠ざかる方向に付勢することを特徴とする。
【０００８】
この構成により、本発明の光ヘッド装置は、治具を用いることなく付勢部材によって固定ホルダにフレームレーザを固定することができるので、製造作業を従来より容易化することができる。ここで、本発明の光ヘッド装置は、発光チップを収納する収納部をフレームレーザが有しており、発光チップから発せられるレーザ光の光軸の延在方向に直交する方向に開口が収納部に形成されているので、フレームレーザに関して放熱性が従来より劣ることがない。また、本発明の光ヘッド装置は、発光チップを保護する保護部を固定ホルダが有しているので、フレームレーザを固定ホルダに取り付けた状態で装置フレームに搭載することにより作業者が誤って発光チップに接触したり、発光チップが装置フレームに接触したりして発光チップに不具合が発生することを防止することができ、フレームレーザに関して取り扱いの容易性が従来より劣ることがない。すなわち、本発明の光ヘッド装置は、フレームレーザに関して放熱性や取り扱いの容易性が従来より劣ることなく、製造作業を従来より容易化することができる。もちろん、本発明の光ヘッド装置は、フレームレーザの開口側とは反対側の部分に付勢部材が当接しているので、付勢部材が発光チップに接触して発光チップが損傷することを防止することができる。
【０００９】
本発明の光ヘッド装置の前記フレームレーザは、前記発光チップで発生した熱を放熱するために前記発光チップの両側に配置された一対の放熱部を有し、前記付勢部材は、一対の前記放熱部にそれぞれ当接する一対のレーザ当接部と、一対の前記レーザ当接部の中間に配置されて前記レーザ当接部が前記放熱部に当接する方向とは反対方向に前記付勢部材当接部に当接するホルダ当接部とを有することを特徴とすることが好ましい。
【００１０】
この構成により、本発明の光ヘッド装置は、１つの付勢部材でフレームレーザを安定して固定ホルダに固定することができる。
【００１１】
本発明の光ヘッド装置の前記固定ホルダは、前記放熱部のうち前記発光チップ側とは反対側の端部を露出させる切欠部を有し、前記フレームレーザは、前記端部が前記固定ホルダに紫外線硬化型接着剤によって固定されていることを特徴とすることが好ましい。
【００１２】
この構成により、本発明の光ヘッド装置は、放熱部の端部に塗布された紫外線硬化型接着剤に切欠部を介して紫外線を照射することができるので、紫外線硬化型接着剤を確実に硬化させてフレームレーザを固定ホルダに確実に固定させることができる。
【発明の効果】
【００１３】
本発明によれば、付勢部材によって固定ホルダにフレームレーザが固定されており、発光チップを収納する収納部をフレームレーザが有しており、発光チップから発せられるレーザ光の光軸の延在方向に直交する方向に開口が収納部に形成されており、発光チップを保護する保護部を固定ホルダが有しているという構成によって、フレームレーザに関して放熱性や取り扱いの容易性が従来より劣ることなく、製造作業を従来より容易化することができる光ヘッド装置を提供することができる。
【００１４】
しかも、フレームレーザの開口側とは反対側の部分に付勢部材が当接されているので、付勢部材が発光チップに接触して発光チップが損傷することを防止することができる。
【発明を実施するための最良の形態】
【００１５】
以下、本発明の一実施の形態について、図面を用いて説明する。
【００１６】
まず、本実施の形態に係る光ヘッド装置の構成について説明する。
【００１７】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００１８】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００１９】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２０】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２１】
金属カバー１２は、装置フレーム１１の突起１１ｃに嵌まる穴部１２ａと、装置フレーム１１の爪１１ｄに係合する溝部１２ｂとを備えている。
【００２２】
金属カバー１３は、対物レンズ３１から出射されるレーザ光を通過させる穴部１３ａを有しており、対物レンズ駆動機構４０を覆っている。
【００２３】
レーザ光源装置２１、レーザ光源装置２２およびモニタ用受光素子２３は、装置フレーム１１に搭載されており、金属カバー１２によって覆われている。
【００２４】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７（図３参照）を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２５】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２６】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２７】
図４は、レーザ光源装置２２の側面側から見た斜視図である。図５は、レーザ光源装置２２の背面側かつ底面側から見た斜視図である。図６は、レーザ光源装置２２の背面側かつ上面側から見た斜視図である。図７（ａ）、（ｂ）、（ｃ）は、それぞれレーザ光源装置２２の背面図、底面図、側面断面図である。
【００２８】
図４〜図７に示すように、レーザ光源装置２２は、発光チップ６１が搭載されたフレームレーザ６０と、フレームレーザ６０が取り付けられる固定ホルダ７０と、フレームレーザ６０を固定ホルダ７０に固定する付勢部材８０とを有している。
【００２９】
図８は、フレームレーザ６０の斜視図である。
【００３０】
図７および図８に示すように、フレームレーザ６０は、発光チップ６１を収納する収納部６２と、発光チップ６１で発生した熱を放熱する一対の放熱部６３と、発光チップ６１に電気的に接続された３つの端子６４とを有している。収納部６２は、発光チップ６１から発せられるレーザ光の光軸６１ａの矢印６０ａで示す延在方向に直交する矢印６０ｂで示す方向に開いた開口６２ａと、発光チップ６１から発せられるレーザ光を通す前面開口６２ｂとが形成されている。一対の放熱部６３は、矢印６０ａで示す方向および矢印６０ｂで示す方向の双方と直交する矢印６０ｃで示す方向において発光チップ６１の両側に配置されている。放熱部６３は、矢印６０ａで示す方向と直交して位置決めの基準となる平らな基準面６３ａと、矢印６０ｂで示す方向と直交して位置決めの基準となる平らな基準面６３ｂと、矢印６０ｃで示す方向と直交して位置決めの基準となる平らな基準面６３ｃとを有している。また、放熱部６３は、発光チップ６１側とは反対側の端部６３ｄで固定ホルダ７０に接着固定されている。
【００３１】
３つの端子６４のうち中央の端子６４と、収納部６２のうち発光チップ６１が搭載されている底部６２ｃと、放熱部６３とは金属で形成された一部品である。３つの端子６４のうち両端の端子６４は、それぞれ金属で形成された別々の部品である。これらの金属の部品が樹脂によって連結されることによって、フレームレーザ６０は、形成されている。収納部６２のうち壁部６２ｄは、この樹脂によって形成されている。
【００３２】
図９は、固定ホルダ７０の上面側から見た斜視図である。図１０は、固定ホルダ７０の底面側から見た斜視図である。
【００３３】
図７、図９および図１０に示すように、固定ホルダ７０は、回折素子３４が固定される素子固定部７１と、フレームレーザ６０を収納するレーザ収納部７２と、フレームレーザ６０の開口６２ａに対向する位置に配置されて発光チップ６１を保護する保護部としての保護壁７３と、フレームレーザ６０に対して保護壁７３とは反対側に配置されて付勢部材８０と当接する付勢部材当接部としての当接壁７４と、放熱部６３のうち発光チップ６１側とは反対側の端部６３ｄを露出させる切欠部７５と、フレームレーザ６０の底部６２ｃに対して発光チップ６１側とは反対側から対向する位置に配置されて発光チップ６１の熱を底部６２ｃを介して放熱する放熱ブロック７６とを有している。また、固定ホルダ７０は、フレームレーザ６０の放熱部６３の基準面６３ａと当接する基準面７０ａと、フレームレーザ６０の放熱部６３の基準面６３ｂと当接する基準面７０ｂと、フレームレーザ６０の放熱部６３の基準面６３ｃと当接する基準面７０ｃとを有している。
【００３４】
図１１は、付勢部材８０の上面側から見た斜視図である。図１２は、付勢部材８０の底面側から見た斜視図である。図１３は、付勢部材８０が組み合わされた固定ホルダ７０の斜視図である。
【００３５】
図７、図１１および図１２に示すように、付勢部材８０は、フレームレーザ６０と、固定ホルダ７０の当接壁７４との間に配置されており、一枚の金属板が曲げられて形成されている。付勢部材８０は、フレームレーザ６０の一対の放熱部６３にそれぞれ当接する一対のレーザ当接部８１と、一対のレーザ当接部８１の中間に配置されてレーザ当接部８１がフレームレーザ６０放熱部６３に当接する方向とは反対方向に固定ホルダ７０の当接壁７４に当接するホルダ当接部８２と、上面側に設けられた押し込み用のベロ８３と、底面側に設けられて図１３に示すように固定ホルダ７０の放熱ブロック７６を挟むＵ字状のブロック挟み部８４とを有しており、フレームレーザ６０を固定ホルダ７０の当接壁７４から遠ざかる方向に付勢するようになっている。付勢部材８０は、レーザ当接部８１が底面側に傾斜した傾斜部８１ａを有しており、ブロック挟み部８４が底面側に傾斜した傾斜部８４ａを有しているので、固定ホルダ７０の所定の位置にフレームレーザ６０を挿入し、このフレームレーザ６０と固定ホルダ７０の当接壁７４との間に付勢部材７０を挿入する際、レーザ当接部８１の傾斜部８１ａとブロック挟み部８４の傾斜部８４ａとによって付勢部材７０が挿入され易くなっている。また、付勢部材８０は、ホルダ当接部８２が突出しており、固定ホルダ７０の当接壁７４の凹み７４ａ（図７（ｃ）参照）にホルダ当接部８２が入り込むことによって、フレームレーザ６０と、固定ホルダ７０の当接壁７４との間から抜けることを防止している。
【００３６】
次に、レーザ光源装置２２の製造方法について説明する。
【００３７】
まず、固定ホルダ７０の放熱ブロック７６に放熱ゲル９１（図７（ｃ）参照）が塗布されて、固定ホルダ７０のレーザ収納部７２にフレームレーザ６０が挿入される。ここで、フレームレーザ６０は、放熱部６３の基準面６３ａ、６３ｂ、６３ｃがそれぞれ固定ホルダ７０の基準面７０ａ、７０ｂ、７０ｃに当接させられることによって、固定ホルダ７０に対して位置決めされる。
【００３８】
次いで、固定ホルダ７０の当接壁７４の凹み７４ａに付勢部材８０のホルダ当接部８２が入り込むまで、フレームレーザ６０と、固定ホルダ７０の当接壁７４との間に付勢部材８０が挿入される。ここで、付勢部材８０は、ベロ８３が押されることによって、フレームレーザ６０と、固定ホルダ７０の当接壁７４との間に挿入される。
【００３９】
最後に、付勢部材８０によって固定ホルダ７０に対してフレームレーザ６０が固定された状態で、フレームレーザ６０の放熱部６３の端部６３ｄと、固定ホルダ７０とに紫外線硬化型接着剤９２が塗布された後、塗布された紫外線硬化型接着剤９２に固定ホルダ７０の切欠部７５を介して紫外線が照射されて紫外線硬化型接着剤９２が硬化させられることによって、固定ホルダ７０に対してフレームレーザ６０が固定される。
【００４０】
以上に説明したように、本形態におけるレーザ光源装置２２は、治具を用いることなく付勢部材８０によって固定ホルダ７０にフレームレーザ６０を固定することができるので、製造作業を従来より容易化することができる。ここで、レーザ光源装置２２は、発光チップ６１を収納する収納部６２をフレームレーザ６０が有しており、発光チップ６１から発せられるレーザ光の光軸６１ａの矢印６０ａで示す延在方向に直交する矢印６０ｂで示す方向に開口６２ａが収納部６２に形成されているので、フレームレーザ６０に関して放熱性が従来より劣ることがない。また、レーザ光源装置２２は、発光チップ６１を保護する保護壁７３を固定ホルダ７０が有しているので、フレームレーザ６０を固定ホルダ７０に取り付けた状態で装置フレーム１１に搭載することにより作業者が誤って発光チップ６１に接触したり、発光チップ６１が装置フレーム１１に接触したりして発光チップ６１に不具合が発生することを防止することができ、フレームレーザ６０に関して取り扱いの容易性が従来より劣ることがない。すなわち、レーザ光源装置２２は、フレームレーザ６０に関して放熱性や取り扱いの容易性が従来より劣ることなく、製造作業を従来より容易化することができる。もちろん、レーザ光源装置２２は、フレームレーザ６０の開口６２ａ側とは反対側の部分に付勢部材８０が当接しているので、付勢部材８０が発光チップ６１に接触して発光チップ６１が損傷することを防止することができる。
【００４１】
また、光ヘッド装置１０は、１つの付勢部材８０でフレームレーザ６０を固定ホルダ７０に固定することができる。
【００４２】
また、光ヘッド装置１０は、放熱部６３の端部６３ｄに塗布された紫外線硬化型接着剤９２に固定ホルダ７０の切欠部７５を介して紫外線を照射することができるので、紫外線硬化型接着剤９２を確実に硬化させてフレームレーザ６０を固定ホルダ７０に確実に固定させることができる。
【図面の簡単な説明】
【００４３】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示すレーザ光源装置の側面側から見た斜視図である。
【図５】図１に示すレーザ光源装置の背面側かつ底面側から見た斜視図である。
【図６】図１に示すレーザ光源装置の背面側かつ上面側から見た斜視図である。
【図７】（ａ）図１に示すレーザ光源装置の背面図である。  （ｂ）図１に示すレーザ光源装置の底面図である。  （ｃ）図１に示すレーザ光源装置の側面断面図である。
【図８】図１に示すレーザ光源装置のフレームレーザの斜視図である。
【図９】図１に示すレーザ光源装置の固定ホルダの上面側から見た斜視図である。
【図１０】図１に示すレーザ光源装置の固定ホルダの底面側から見た斜視図である。
【図１１】図１に示すレーザ光源装置の付勢部材の上面側から見た斜視図である。
【図１２】図１に示すレーザ光源装置の付勢部材の底面側から見た斜視図である。
【図１３】図１に示すレーザ光源装置の付勢部材が組み合わされた固定ホルダの斜視図である。
【符号の説明】
【００４４】
１０  光ヘッド装置
１１  装置フレーム
６０  フレームレーザ
６１  発光チップ
６１ａ  光軸
６２  収納部
６２ａ  開口
６３  放熱部
６３ｄ  端部
７０  固定ホルダ
７３  保護壁（保護部）
７４  当接壁（付勢部材当接部）
７５  切欠部
８０  付勢部材
８１  レーザ当接部
８２  ホルダ当接部
９２  紫外線硬化型接着剤
【図１】
2009170066.tif 000003
【図２】
2009170066.tif 000004
【図３】
2009170066.tif 000005
【図４】
2009170066.tif 000006
【図５】
2009170066.tif 000007
【図６】
2009170066.tif 000008
【図７】
2009170066.tif 000009
【図８】
2009170066.tif 000010
【図９】
2009170066.tif 000011
【図１０】
2009170066.tif 000012
【図１１】
2009170066.tif 000013
【図１２】
2009170066.tif 000014
【図１３】
2009170066.tif 000015